(57)【要約】      （修正有）【課題】釣り用のリールのハンドルアーム８を、専用の金型を用いることなく長さや三次元的な加工が簡単にできるようにするハンドルを提供する。【解決手段】ハンドルアーム８を、ワイヤー（針金）８ａを曲げ形成した曲げ物であって、取り付け部７から間隔を存して長尺状に延出する一対のアーム部と、該アーム部先端に折返し状に湾曲する湾曲部８ｅとから構成され、該湾曲部８ｅに摘み９が設けられている。摘み基部８ａは、該摘み基部８ａに形成の凹溝に湾曲部８ｅが嵌合する状態で懸回されるとともに、ワイヤー８ａの摘み９の基部に懸回される部位よりブラケット側部位は、ワイヤー８ａ対向間が摘み９の基部よりも幅狭になっていて摘み９の基部がブラケット側に移動することを規制するようになっている。【選択図】図１
0003159181.tif 000002
【実用新案登録請求の範囲】
【請求項１】
リール本体に取り付けるための取り付け部と、該取り付け部に固定されるハンドルアームと、ハンドルアームの先端に支持される摘みとを備えて構成される釣り用リールのハンドルにおいて、前記ハンドルアームはワイヤーを曲げ形成した曲げ物であって、取り付け部から間隔を存して長尺状に延出する一対のアーム部と、該アーム部先端に折返し状に湾曲する湾曲部とから構成され、該湾曲部に摘みが設けられていることを特徴とする釣り用リールのハンドル。
【請求項２】
ワイヤーは、取り付け部に固定されるブラケットから延出するものであり、該ブラケットの取り付け部側面には、ワイヤーを嵌合する嵌合溝が形成されていることを特徴とする請求項１記載の釣り用リールのハンドル。
【請求項３】
ワイヤーの嵌合溝への嵌合は無理嵌め嵌合であることを特徴とする請求項２記載の釣り用リールのハンドル。
【請求項４】
摘みは、指で摘む摘み本体と、該摘み本体が回動自在に軸支される基部とからなり、該摘み基部は湾曲部が懸回されるものであり、該基部の湾曲部が懸回される外周面は、凹溝に成っていてワイヤーが入り込んで摘み基部の湾曲部からの抜止めがなされる構成になっていることを特徴とする請求項１乃至３の何れか１記載の釣り用リールのハンドル。
【請求項５】
摘み基部の取り付け部側面部には湾曲部を覆うフランジが形成されていることを特徴とする請求項４記載の釣り用リールのハンドル。
【請求項６】
ワイヤーの摘み基部に懸回される部位よりブラケット側部位は、ワイヤー対向間がつまみ基部よりも幅狭になっていて摘み基部がブラケット側に異動することを規制するようになっていることを特徴とする請求項４または５記載の釣り用リールのハンドル。
【考案の詳細な説明】
【技術分野】
【０００１】
本考案は、両軸受けリール、スピニングリール等の各種の釣り用リールのハンドルの技術分野に属するものである。
【背景技術】
【０００２】
一般に、この種釣り用リールは、ハンドル操作によってスプールを回転させ、繰出した釣り糸を巻き取るようになっているが、従来のハンドルは、リール本体への取り付け部に板状または立体的な中実状のハンドルアームを設け、該ハンドルアームの先端に摘みを設けていた（例えば特許文献１、２、３）。
【先行技術文献】
【特許文献】
【０００３】
【特許文献１】特開２００２−３３５８３１号公報
【特許文献２】特開２００４−２２９５７３号公報
【特許文献３】特開２００８−２１２０５３号公報
【考案の概要】
【考案が解決しようとする課題】
【０００４】
ところがハンドルアームが板状のものは、プレス加工で作成するため、該プレス加工するための専用の金型が必要になるうえ、形状変更するためには金型自体の交換を強いられ、さらに立体的な形状にするには金型形状が複雑になる等してコスト高になるという問題がある。
またハンドルアームが中実状のものは、鋳物加工で作成することが多く、立体的な形状にはしやすいという利点があるが、板状のものと同様、専用の金型が必要であるうえ、形状変更するには金型自体の交換を強いられる等して矢張りコスト高になるという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、リール本体に取り付けるための取り付け部と、該取り付け部に固定されるハンドルアームと、ハンドルアームの先端に支持される摘みとを備えて構成される釣り用リールのハンドルにおいて、前記ハンドルアームはワイヤーを曲げ形成した曲げ物であって、取り付け部から間隔を存して長尺状に延出する一対のアーム部と、該アーム部先端に折返し状に湾曲する湾曲部とから構成され、該湾曲部に摘みが設けられていることを特徴とする釣り用リールのハンドルである。
請求項２の考案は、ワイヤーは、取り付け部に固定されるブラケットから延出するものであり、該ブラケットの取り付け部側面には、ワイヤーを嵌合する嵌合溝が形成されていることを特徴とする請求項１記載の釣り用リールのハンドルである。
請求項３の考案は、ワイヤーの嵌合溝への嵌合は無理嵌め嵌合であることを特徴とする請求項２記載の釣り用リールのハンドルである。
請求項４の考案は、摘みは、指で摘む摘み本体と、該摘み本体が回動自在に軸支される基部とからなり、該摘み基部は湾曲部が懸回されるものであり、該基部の湾曲部が懸回される外周面は、凹溝に成っていてワイヤーが入り込んで摘み基部の湾曲部からの抜止めがなされる構成になっていることを特徴とする請求項１乃至３の何れか１記載の釣り用リールのハンドルである。
請求項５の考案は、摘み基部の取り付け部側面部には湾曲部を覆うフランジが形成されていることを特徴とする請求項４記載の釣り用リールのハンドルである。
請求項６の考案は、ワイヤーの摘み基部に懸回される部位よりブラケット側部位は、ワイヤー対向間がつまみ基部よりも幅狭になっていて摘み基部がブラケット側に異動することを規制するようになっていることを特徴とする請求項４または５記載の釣り用リールのハンドルである。
【考案の効果】
【０００６】
請求項１の考案とすることにより、ハンドルアームがワイヤーによる曲げ物で良いことになって、板材からの打ち抜き物や鋳物のように専用の金型を各形状毎に用意する必要がなく、このため、形状変更や長さ変更、さらには三次元加工が低コストで自由にできることになる。
請求項２の考案とすることにより、曲げ物からなるハンドルアームの取り付け部への取り付けが容易になる。
請求項３の考案とすることにより、ハンドルアームのブラケットへの取り付けが確実になってガタを生じることがない。
請求項４の考案とすることにより、ハンドルアームへの摘み基部の取り付けが確実になり、抜け出てしまうことが回避される。
請求項５の考案とすることにより、ハンドルアームへの摘み基部の取り付けが確実になり、抜け出てしまうことが回避される。
請求項６の考案とすることにより、摘み基部のブラケット側への位置ずれを回避することができる。
【図面の簡単な説明】
【０００７】
【図１】リールの平面図である。
【図２】リールの正面図である。
【図３】（Ａ）はハンドルの正面図、（Ｂ）はハンドルの背面図、（Ｃ）はハンドルの斜視図である。
【図４】（Ａ）はハンドルアームの正面図、（Ｂ）はハンドルアームの背面図である。
【図５】（Ａ）はハンドルアーム単体の正面図、（Ｂ）はブラケットの正面図、（Ｃ）は摘み基部の正面図、（Ｄ）摘み基部の側面図である。
【図６】ハンドルアームの使用状態を示す側面図である。
【考案を実施するための形態】
【０００８】
次ぎに、本考案の実施の形態について、図面を用いて説明する。図面において、１は両軸受けの釣り用リールのリール本体であって、該リール本体１は、左右のサイドケース２、３と、該サイドケース２、３間に軸支され、テグス（道糸）Ｔが懸回されるスプール４と、右側サイドケース３に設けられるハンドル５およびドラグレバー６、クラッチレバー６ａを備えて構成されていること等は何れも従来どおりであるが、前記ハンドル５に本考案が実施されており、以下、ハンドル５について詳述する。
【０００９】
前記ハンドル５は、右側サイドケース３への取り付け部７と、該取り付け部７に一体的に設けられるハンドルアーム８と、ハンドルアーム８の先端部に取り付けられる摘み９とを用いて構成されるが、ハンドルアーム８は、ワイヤー（針金）８ａを曲げ加工した曲げ物を用いて構成されている。
【００１０】
つまりハンドルアーム８は、前記取り付け部７に固定されるブラケット１０を備えているが、該ブラケット１０は、本実施の形態では円盤形状になっているが、ブラケット１０の形状は円盤に限定されないことは勿論である。ブラケット１０の中心部には、ブラケット１０を取り付け部７に固定するための固定ボルト１１が貫通する貫通孔１０ａが穿設されているが、さらにブラケット１０には貫通孔１０ａを挟むようにして一対の嵌合溝１０ｂ、１０ｃが形成され、該嵌合溝１０ｂ、１０ｃ側が取り付け部７に当てがわれるようにして該取り付け部７に固定される。
【００１１】
ブラケット７の嵌合溝１０ｂ、１０ｃには長尺リング状に湾曲したワイヤー８ａが嵌合されているが、該ワイヤー８ａは、両端部８ｂ、８ｃが一方の嵌合溝１０ｂに突合せ状に嵌合した状態でブラケット７から左右両側に延出し、該延出したものを折返し状に湾曲し、折返し中間部８ｄを他方の嵌合溝１０ｃに嵌合している。ワイヤー８ａの両端部８ｂ、８ｃと折返し中間部８ｄとの対向間隔Ａは一対の嵌合溝１０ｂ、１０ｃの対向間隔Ｂよりも大きく設定され、これによってワイヤー８ａは嵌合溝１０ｂ、１０ｃに無理嵌め状に嵌合し、強固な嵌合とガタツキ防止とが図られている。
尚、本実施の形態では１本のワイヤー８ａを長尺リング状に湾曲してハンドルアーム８を形成しているが、１本のワイヤーを長尺Ｕ字形に湾曲してブラケット７から一方にのみ延出したもの、２本のワイヤーをそれぞれ長尺Ｕ字形に湾曲してブラケット７から両側に延出したものとすることもできる。
また、ワイヤー８ａの嵌合溝１０ｂ、１０ｃへの強固な嵌合とガタツキ防止の無理嵌め嵌合としては、嵌合溝の対向間隔とワイヤ間の対向間隔の関係を逆にしてもよく、またワイヤー８ａの太さを嵌合溝１０ｂ、１０ｃ溝幅よりも大きくしてもよい。
【００１２】
一方の湾曲部８ｅは、摘み９の板状の基部９ａを懸回する状態で挟持状に固定しているが、この場合に、摘み基部９ａの湾曲部８ｅが懸回する外周面は凹溝９ｂになっていてワイヤー８ａが入り込んで摘み基部９ａの湾曲部８ｅからの抜止めがなされると共に、ワイヤー８ａの摘み基部９ａに懸回する部位よりブラケット７側部位８ｆは、ワイヤー８ａの対向間が狭くなっていて摘み基部９ａがブラケット７側に位置ずれしないようになっている。摘み基部９ａの取り付け部７側面には湾曲部８ｅを覆う状態のフランジ９ｃが形成されている。そして摘み基部９ａは、摘み本体９ｄに螺子９ｅを介して回動自在に軸支されている。
【００１３】
一方、ワイヤ−８ａの他方の湾曲部８ｆからブラケット７に至る部位のワイヤー対向間隔は幅広になっていて指（例えば人差し指）を抜き差し自在に挿入できる指掛け部８ｈになっている。
尚、図中、１１はブラケット７に固定されるカバーである。
因みにワイヤー８ａは、モノライン（中実状でも中空状でも良い）であって防錆性に優れたステンレス等の金属製のものが好ましい。
【００１４】
叙述のごとく構成された本考案の実施の形態において、ハンドルアーム８は、ワイヤー８ａを曲げ加工した曲げ物で形成されるため、板材からの打ち抜き物や鋳物のように専用の金型を各形状毎に用意する必要がなくなり、この結果、形状変更や長さ変更、さらには三次元加工が低コストで自由にできることになる。
【００１５】
しかもこのものでは、ワイヤー８ａは、取り付け部７に固定されるブラケット１０から延出するものであり、しかもブラケット１０の取り付け部７側面には、ワイヤー８ａを嵌合する嵌合溝１０ｂ、１０ｃが形成されていてワイヤー８ａを嵌合状態で組付けることができ、この結果、曲げ物からなるハンドルアーム８の取り付け部７への取り付けが容易になる。
しかもワイヤー８ａの嵌合溝１０ｂ、１０ｃへの嵌合は無理嵌め嵌合であるため、ガタが生じることがなく、確実な取り付けができることになる。
【００１６】
また摘み９は、指で摘む摘み本体９ｄと、該摘み本体９ｄが回動自在に軸支される基部９ａとからなるが、摘み基部９ａはワイヤー湾曲部８ｅが懸回される。この場合に、該基部９ａの湾曲部８ｅが懸回される外周面は凹溝９ｂに成っていてワイヤー８ａが入り込んで摘み基部９ａの湾曲部８ｅからの抜止めがなされ、これによってハンドルアームへの摘み基部の取り付けが確実になり、抜け出てしまうことが回避される。
一方、摘み基部９ａの取り付け部側面部には湾曲部８ｅを覆うフランジ９ｃが形成されていることから、ハンドルアーム８への摘み基部９ａの取り付けが確実になり、抜け出てしまうことが回避される。
【００１７】
また、ワイヤー８ａの摘み基部９ａに懸回される部位よりブラケット側部位８ｇは、ワイヤー８ａ対向間が摘み基部９ａよりも幅狭になっていて摘み基部９ａがブラケット側に移動することを規制するようになっているため、摘み基部のブラケット側への位置ずれを回避することができる。
【産業上の利用可能性】
【００１８】
スピニングリールや両軸受けリール等の魚釣り用リールのハンドルとしての利用可能性がある。
【符号の説明】
【００１９】
１    リール本体
８    ハンドルアーム
８ａ  ワイヤー
８ｅ  湾曲部
９    摘み
９ａ  摘み基部
１０    ブラケット
【図１】
0003159181.tif 000003
【図２】
0003159181.tif 000004
【図３】
0003159181.tif 000005
【図４】
0003159181.tif 000006
【図５】
0003159181.tif 000007
【図６】
0003159181.tif 000008
【手続補正書】
【提出日】平成22年2月25日(2010.2.25)
【手続補正１】
【補正対象書類名】明細書
【補正対象項目名】０００５
【補正方法】変更
【補正の内容】
【０００５】
本考案は、上記の如き実情に鑑みこれらの課題を解決することを目的として創作されたものであって、請求項１の考案は、リール本体に取り付けるための取り付け部と、該取り付け部に固定されるハンドルアームと、ハンドルアームの先端に支持される摘みとを備えて構成される釣り用リールのハンドルにおいて、前記ハンドルアームはワイヤーを曲げ形成した曲げ物であって、取り付け部から間隔を存して長尺状に延出する一対のアーム部と、該アーム部先端に折返し状に湾曲する湾曲部とから構成され、該湾曲部に摘みが設けられていることを特徴とする釣り用リールのハンドルである。
請求項２の考案は、ワイヤーは、取り付け部に固定されるブラケットから延出するものであり、該ブラケットの取り付け部側面には、ワイヤーを嵌合する嵌合溝が形成されていることを特徴とする請求項１記載の釣り用リールのハンドルである。
請求項３の発明は、ワイヤーの嵌合溝への嵌合は無理嵌め嵌合であることを特徴とする請求項２記載の釣り用リールのハンドルである。
請求項４の発明は、摘みは、指で摘む摘み本体と、該摘み本体が回動自在に軸支される基部とからなり、該基部は湾曲部が懸回されるものであり、該基部の湾曲部が懸回される外周面は、凹溝に成っていてワイヤーが入り込んで基部の湾曲部からの抜止めがなされる構成になっていることを特徴とする請求項１乃至３の何れか１記載の釣り用リールのハンドルである。
請求項５の発明は、基部の取り付け部側面部には湾曲部を覆うフランジが形成されていることを特徴とする請求項４記載の釣り用リールのハンドルである。
請求項６の発明は、ワイヤーの基部に懸回される部位よりブラケット側部位は、ワイヤー対向間が基部よりも幅狭になっていて基部がブラケット側に移動することを規制するようになっていることを特徴とする請求項４または５記載の釣り用リールのハンドルである。
【手続補正２】
【補正対象書類名】実用新案登録請求の範囲
【補正対象項目名】全文
【補正方法】変更
【補正の内容】
【実用新案登録請求の範囲】
【請求項１】
リール本体に取り付けるための取り付け部と、該取り付け部に固定されるハンドルアームと、ハンドルアームの先端に支持される摘みとを備えて構成される釣り用リールのハンドルにおいて、前記ハンドルアームはワイヤーを曲げ形成した曲げ物であって、取り付け部から間隔を存して長尺状に延出する一対のアーム部と、該アーム部先端に折返し状に湾曲する湾曲部とから構成され、該湾曲部に摘みが設けられていることを特徴とする釣り用リールのハンドル。
【請求項２】
ワイヤーは、取り付け部に固定されるブラケットから延出するものであり、該ブラケットの取り付け部側面には、ワイヤーを嵌合する嵌合溝が形成されていることを特徴とする請求項１記載の釣り用リールのハンドル。
【請求項３】
ワイヤーの嵌合溝への嵌合は無理嵌め嵌合であることを特徴とする請求項２記載の釣り用リールのハンドル。
【請求項４】
摘みは、指で摘む摘み本体と、該摘み本体が回動自在に軸支される基部とからなり、該基部は湾曲部が懸回されるものであり、該基部の湾曲部が懸回される外周面は、凹溝に成っていてワイヤーが入り込んで基部の湾曲部からの抜止めがなされる構成になっていることを特徴とする請求項１乃至３の何れか１記載の釣り用リールのハンドル。
【請求項５】
基部の取り付け部側面部には湾曲部を覆うフランジが形成されていることを特徴とする請求項４記載の釣り用リールのハンドル。
【請求項６】
ワイヤーの基部に懸回される部位よりブラケット側部位は、ワイヤー対向間が基部よりも幅狭になっていて基部がブラケット側に移動することを規制するようになっていることを特徴とする請求項４または５記載の釣り用リールのハンドル。